(57)【特許請求の範囲】
【請求項１】
トランクス型着用物品着用者の左右の胴周り側部を覆う左右側部身頃と、前記着用者の胴周り前後と股部とを覆う左右中央部身頃とを有し、前記左右中央部身頃は同形同大のＵ字形切り欠き部を有する２枚のシートが前記切り欠き部の位置を一致させて合掌状に重なり合い、その重なり合って互いに当接する前記切り欠き部の縁部分どうしが合掌状に接合して股部の渡りを形成しているトランクス型着用物品であって、
前記２枚のシートそれぞれが前記Ｕ字形切り欠き部の底部に、前記切り欠き部の縁部分から前記Ｕ字形の内側へ向かって長く延出した部分を有し、前記延出部分のそれぞれが、前記シートそれぞれの前記着用物品における内面に折り重ねられていることを特徴とする前記着用物品。
【請求項２】
前記延出部分は、その基端部近傍の断面が環状を呈するように丸められて前記内面に折り重ねられ、かつ、接合している請求項１記載の着用物品。
【請求項３】
前記２枚のシートが熱可塑性合成繊維を含む不織布であり、前記切り欠き部の縁部分でホットメルト接着剤及び溶着のいずれかによって互いに接合している請求項１または２記載の着用物品。
【発明の詳細な説明】
【０００１】
【発明の属する技術分野】
この発明は、トランクス型の着用物品であって、特に使い捨てに適した該着用物品に関する。
【０００２】
【従来の技術】
従来、トランクス型着用物品の股部における前後身頃間の渡りは、その渡りに沿って延びる２枚の生地の接合しろを合掌状に接合することによって形成することが多い。その着用物品が使い捨てのものである場合には、生地として不織布やプラスチックフィルムが使用され、これらの生地が、多くの場合にホットメルト接着剤や溶着によって接合される。
【０００３】
【発明が解決しようとする課題】
前記従来技術において、生地の接合しろはその幅をあまり広くすることがない。幅が広すぎると、生地を多く使うことになるばかりでなく、生地のほつれる量が多くなったり、生地がつれたりして仕立ての良い着用物品になり難い。一方、そのような接合しろで生地どうしを接着や溶着によって合掌状に接合すると、その接合部位の剛性が生地の剛性よりもはるかに高くなり、その部位は、物品着用者の肌を強く刺激するもととなる。しかるに、使い捨て着用物品では、製造コストを低く抑えるために、シートどうしを合掌状に接合するという比較的簡単な接合方式を採用することが多い。
【０００４】
そこで、この発明は、トランクス型着用物品の股部の渡りを形成するためにシートどうしを合掌状に重ね合わせて接合した場合でも、その接合部分で物品着用者の肌を刺激することがないようにすることを課題にしている。
【０００５】
【課題を解決するための手段】
前記課題を解決するために、この発明が前提とするのは、トランクス型着用物品着用者の左右の胴周り側部を覆う左右側部身頃と、前記着用者の胴周り前後と股部とを覆う左右中央部身頃とを有し、前記左右中央部身頃は同形同大のＵ字形切り欠き部を有する２枚のシートが前記切り欠き部の位置を一致させて重なり合い、その重なり合って互いに当接する前記切り欠き部の縁部分どうしが合掌状に接合して股部の渡りを形成しているトランクス型着用物品である。
【０００６】
かかる前提において、この発明が特徴とするところは、前記２枚のシートそれぞれが前記Ｕ字形切り欠き部の底部に、前記切り欠き部の縁部分から前記Ｕ字形の内側へ向かって長く延出した部分を有し、前記延出部分のそれぞれが、前記シートそれぞれの前記着用物品における内面に折り重ねられていることにある。
【０００７】
この発明の好ましい実施態様において、前記延出部分は、その基端部近傍の断面が環状を呈するように丸められて前記内面に折り重ねられ、かつ、接合している。
【０００８】
この発明の好ましい実施態様の他の一つにおいて、前記２枚のシートが熱可塑性合成繊維を含む不織布であり、ホットメルト接着剤及び溶着のいずれかによって接合している。
【０００９】
【発明の実施の形態】
使い捨てのトランクスを例にとり、添付の図面を参照して、この発明に係る着用物品の詳細を説明すると、以下のとおりである。
【００１０】
図１に部分破断斜視図で示された使い捨てのトランクス１は、図の左側の部分が着用者の胴周り前方にくるもので、主として着用者の胴周り側部を覆う左右の側部身頃２，３と、主として着用者の胴周り前後と股部とを覆う左右の中央部身頃６，７とで形成されている。左の側部身頃２は前後の側縁部８，９を有し、これら側縁部８，９が左中央部身頃６の前後の側縁部１１，１２と接合している。右の側部身頃３は前後の側縁部１３，１４を有し、これら側縁部１３，１４が右中央部身頃の前後の側縁部１６，１７と接合している。左右の中央部身頃６，７は、トランクス１の股部において前後の渡りとなるＵ字形の切り欠き部１８，１９を有し、これら切り欠き部１８，１９の縁に沿う溶着線２０で接合している。各身頃２，３，６，７がこのように接合することによって、トランクス１の胴周り開口部２１と、一対の脚周り開口部２２とが形成されている。左右の側部身頃２，３には胴周り開口部２１の縁に沿って弾性部材２３，２４が伸長状態で取り付けられており、トランクス１が胴周り方向への弾性伸縮性を有している。左右の中央部身頃６，７のそれぞれは、Ｕ字形切り欠き部１８，１９の底部に折り返し部３１，３２を有する。
【００１１】
図２は、図１のＩＩ−ＩＩ線部分断面図である。左右の中央部身頃６，７の折り返し部３１，３２のそれぞれは、身頃６，７が仮想線の如く延びる部分を矢印Ａ，Ｂで示される方向へ折り返すことにより形成されている。折り返し部３１，３２では、その基端部３３，３４が切り欠き部１８，１９の底部となり、基端部３３，３４の近傍がトランクス１の幅方向断面で図示のような環状を呈するように折り返され、折り返されて下端部となった部分３６，３７がそれぞれの中央部身頃６，７の内面にホットメルト接着剤３９を介して接合する。折り返し部３１，３２によって形成された環状部の頂点３３Ａ，３４Ａは、Ｕ字形切り欠き部１８，１９の底部における接合部位２０よりも上方に位置している。このような中央部身頃６，７であれば、接合によって剛性の高くなった部位２０が、少なくとも折り返し部３１，３２の近傍では着用者の肌を強く刺激することがない。中央部身頃６，７が捲縮した合成繊維からなる不織布で形成されている場合には、その不織布の弾性によって、折り返し部３１，３２を環状に変形させることが容易になる。また、そのときの環状の折り返し部３１，３２は、弾性変形することによって着用者の股部に違和感なくフィットする。
【００１２】
図３，４は、トランクス１の分解斜視図と、一体となった中央部身頃６，７の製造手順の一例を示す図である。図３において、左右の側部身頃２，３は、一体の中央部身頃６，７から分離した状態にあり、中央部身頃６，７どうしは、Ｕ字形の切り欠き部１８，１９の縁に沿う線２０で互いに接合している。図４には、左中央部身頃６となるべき部分を含む長尺の第１シート１０６の一部分と、右中央部身頃７となるべき部分を含む長尺の第２シート１０７の一部分とが上下に示されている。第１，２シート１０６，１０７は実質的に同じものであって、幅方向中央部にほぼ長円形の透孔１０８を有し、透孔１０８の左右両端部のうちの一方に折り返し部３１および３２となるべき延出部分１３１Ａおよび１３２Ａを有する。延出部分１３１Ａ，１３２Ａは、透孔１０８の縁部分から透孔１０８の内側へ向かって長く延出している部分である。第１，２シート１０６と１０７とは、透孔１０８が一致するように重ね合わせ、第２シート１０７の透孔１０８周縁に沿って延びる線１２０で接合する。次に、透孔１０８を左右に２等分する線Ｐ−Ｐと、第１，２シート１０６，１０７の長手方向で隣り合う透孔１０８どうしの間を２等分する線Ｑ−Ｑとにおいて、第１，２シート１０６，１０７を裁断し、次いででそれぞれの延出部分１３１Ａと１３２Ａとを矢印Ａ，Ｂで示される方向へ折り返して第１シート１０６と第２シート１０７とに接合すると、図３の一体となった中央部身頃６，７が得られる。
【００１３】
トランクス１の製造工程において、透孔１０８に倣って第１，２シート１０６，１０７それぞれを裁断するときに、延出部分１３１Ａ，１３２Ａを透孔１０８に残しておけば、第１，２シート１０６，１０７のうちの捨てるべき部分を有効利用することになる。このような手順でトランクス１を製造すれば、折り返し部３１，３２を形成するための格別の材料と手間とが不要になる。大人用トランクスの場合、延出部分１３１Ａ，１３２Ａの寸法は、第１，２シート１０６，１０７の長手方向において２０〜８０ｍｍ，幅方向において６０〜１５０ｍｍの範囲にあることが好ましい。
【００１４】
なお、図４では、一つの透孔１０８を線Ｐ−Ｐで２等分することによって、２組の中央部身頃６，７が得られるが、図３にはそのうちの一方のみが示されている。図４において延出部分１３１Ａ，１３２Ａと向かい合っている延出部分１３１Ｂ，１３２Ｂは、もう一方の身頃を得るときに使用される。
【００１５】
図５は、この発明の実施態様の一例を示す図２と同様の図面である。このトランクス１では、折り返し部３１，３２が基端部３３，３４で折り返されるのみで環状を呈しておらず、また下端部３６，３７が中央部身頃６，７の内面に接合していない。
【００１６】
この発明において、各身頃２，３，６，７を形成する素材には、不織布や織布、プラスチックフィルム等を使用することができる。これらの素材は、ホットメルト接着剤等の接着剤や、熱や超音波による溶着によって接合することができる。この発明によって得られるトランクス１は、比較的簡単な製法によって得ることができるからコストがかからず、使い捨てのものとして使用するのに好適である。トランクス１は、失禁者用パンツや幼児のトレ−ニングパンツ等の着用物品として広く利用することができる。
【００１７】
【発明の効果】
この発明に係る使い捨てのトランクス型着用物品は、シートどうしが股部で合掌状に重なり合って接合していても、その接合部位による肌への刺激を股部に形成された折り返し部で和らげることができる。
【図面の簡単な説明】
【図１】  トランクスの部分破断斜視図。
【図２】  図１のＩＩ−ＩＩ線部分断面図。
【図３】  トランクスの分解斜視図。
【図４】  中央部身頃の製造手順を示す図。
【図５】  実施態様の一例を示す図２と同様の図。
【符号の説明】
１      着用物品（トランクス）
１８，１９      切り欠き部
３１，３２      延出部分（折り返し部）
３３，３４      基端部
１３１Ａ，１３２Ａ      延出部分
【図１】
0003652533.tif 000002
【図２】
0003652533.tif 000003
【図３】
0003652533.tif 000004
【図４】
0003652533.tif 000005
【図５】
0003652533.tif 000006